(57)【要約】  本発明は、フレームまたはビデオ処理の分野に関し、より詳細には、ビデオ補間の分野に関する。本発明は、補間イメージを一時的にフレーミングするソースフレームから補間イメージを生成するデバイスに関する。このデバイスは、動き推定手段（１０）と、動き補償補間手段（２０）と、線形補間手段（３０）と、動き補償補間手段（２０）によって生成されるフレームに、線形補間手段（３０）によって生成されるフレームを混合する手段（４０'、４０"）とを備える。本発明は、それらの２つのフレームに割り当てられる混合係数（ａ、１−ａ）が、補間フレームをフレーミングするソースフレームおよび／または推定された動きベクトル間の、変位フレーム差（ＤＦＤ）および／またはフレーム差（ＦＤ）に依存するという点で、特徴付けられる。
2009503969.tif 000002
【特許請求の範囲】
【請求項１】
補間フレームを、前記補間フレームを一時的に取り囲むソースフレームから生成するデバイスであって、
前記ソースフレームから補間する前記フレームの少なくとも一つの現ピクセルに対する動きベクトルの推定手段（１０）と、
第１の動き補償補間フレームを生成するための動き補償補間手段（２０）であって、前記第１の補間フレームの前記現ピクセルの特性は、前記現ピクセルに対して推定される前記動きベクトルによって決定される前記ソースフレームの前記ピクセルの特性から決定される、動き補償補間手段（２０）と、
前記ソースフレーム内の前記現ピクセルと同じ座標のピクセル間の線形フィルタリングによって第２の補間フレームを生成するための線形補間手段（３０）と、
補間する前記フレームのそれぞれの現ピクセルに関して、前記第１および第２のフレームが前記補間フレームを生成するように補間される同じ座標のピクセルの特性を混合するための混合手段（４０'、４０"）であって、混合係数（α、１−α）が、各現ピクセルに対して前記第１および第２の補間フレームの各々に割り当てられる、混合手段（４０'、４０"）とを備え、
さらに、前記補間フレームの各現ピクセルに関して、前記現ピクセルに対して前記推定された動きベクトルによって決定される前記ソースフレームの前記ピクセル間の第１のフレーム差値（ＤＦＤ）と、前記ソースフレーム内の前記現ピクセルと同じ座標のピクセル間の第２のフレーム差値（ＦＤ）との、算出手段（７０，７０"）を備えることを特徴とし、
前記混合手段（４０'、４０"）は、前記補間フレームの各現ピクセルに関して、このピクセルに対して算出される前記第１のフレーム差値（ＤＦＤ）、および／または第２のフレーム差値（ＦＤ）、および／または推定された動きベクトルに従って前記混合係数（α、１−α）を決定することを特徴とするデバイス。
【請求項２】
前記第２の補間フレームに割り当てられる前記混合係数は、（前記第１のフレーム差値（ＤＦＤ））／（前記第１（ＤＦＤ）と、第２（ＦＤ）とのフレーム差値の合計）の比率に等しいことを特徴とする請求項１に記載のデバイス。
【請求項３】
前記第１および第２の補間されたイメージに適用される前記混合係数の合計は、１に等しいことを特徴とする請求項２に記載のデバイス。
【請求項４】
各ソースフレームは、少なくとも２つのカラー成分（Ｒ、Ｇ、Ｂ）を備え、前記カラー成分の各々に対する補間フレームを生成することを特徴とする請求項２または３に記載のデバイス。
【請求項５】
混合係数（αｒｅｄ、αｇｒｅｅｎ、αｂｌｕｅ）は、このカラー成分と関連するソースフレームから前記カラー成分の各々に対して算出されること、および、前記混合係数の最大値（αｍａｘ）は、前記混合に対する各カラー成分の前記第２の補間フレームに割り当てられることを特徴とする請求項２または３に記載のデバイス。
【請求項６】
各カラー成分の前記第２の補間フレームに適用される前記混合係数の前記最大値は、前記第１（ＤＦＤ）および第２（ＦＤ）のフレーム差値が小さい時に、前記第２の補間フレームに優先順位を与える正則化関数（ｇ）によって重み付けされることを特徴とする請求項５に記載のデバイス。
【請求項７】
前記正則化関数は、
【数１】
2009503969.tif 000006
のタイプであり、ｘは前記第１および第２のフレーム差値の合計であることを特徴とする請求項６に記載のデバイス。
【発明の詳細な説明】
【技術分野】
【０００１】
本発明は、フレームまたはビデオプロセシング領域内に位置付けられ、より詳細には、ビデオ補間の領域に位置付けられる。本発明は、フレーム補間デバイスに関し、このフレーム補間デバイスは、プラズマディスプレイスクリーン、液晶デバイスまたはブラウン管のような任意のタイプのフレームディスプレイデバイスに実装されるかまたは挿入される。
【背景技術】
【０００２】
標準的な動き補償フレーム補間技術は、動き推定器の使用を必要とする。この推定器は、補間するフレームを一時的に「取り囲む」ソースフレームと、できる限り以前に推定された動きベクトルとから、補間するフレームの各ピクセルに対する動きベクトルを算出する。考えられるいくつかの方法でこの動きベクトルを算出することができる。
【０００３】
１つは、最初に、補間するフレームを取り囲む２つのソースフレームのうちの１つの各ピクセルに対する動きベクトルを推定して、次いで、動きベクトルに、補間するフレームの検討中のピクセルを交差するかまたは近接して通過するソースフレームの推定された動きベクトルを割り当てることによって、推測される。
【０００４】
あるいは、補間するフレームのピクセルに対する動きベクトルは、補間するフレームを取り囲む１または２つのソースフレームから、および、以前に推定された動きベクトルから、直接に推定される。
【０００５】
動き補償されたビデオ補間は、次いで補間するフレームを取り囲む２つのソースフレームのうちの少なくとも１つのビデオ情報と、補間するフレームに対して算出される動きベクトルと、に基づいて、動きの方向を作成される。図１は、フレームが以前のソースフレーム（前ソースフレーム）と現在のソースフレーム（現ソースフレーム）との間に挿入される方法を例示する。この例では、補間フレームは前ソースフレームと現ソースフレームとの間の中間距離に一時的に位置している。この補間は、ビデオシーケンスの表示周波数を修正して、例えば表示周波数を５０Ｈｚから１００Ｈｚに上昇させるために、伝統的に使用される。この例では、補間フレームのピクセルＰ２２＿ｉに対して推定される動きベクトルは、前ソースフレームのピクセルＰ１１＿ｐ、Ｐ１２＿ｐ、Ｐ２１＿ｐ、Ｐ２２＿ｐの間に位置するポイントの１つの端と、現ソースフレームのピクセルＰ２２＿ｃ、Ｐ２３＿ｃ、Ｐ３２＿ｃ、Ｐ３３＿ｃの間に位置するポイントのもう一方の端と、を示している。従って、ピクセルＰ２２＿ｉに割り当てられるビデオ情報は、ピクセルＰ１１＿ｐ、Ｐ１２＿ｐ、Ｐ２１＿ｐ、Ｐ２２＿ｐ、Ｐ２２＿ｃ、Ｐ２３＿ｃ、Ｐ３２＿ｃ、Ｐ３３＿ｃのビデオ情報の組合せである。
【０００６】
理論上では、この動き補償された補間は良い結果を与える。実際には、アルゴリズムの複雑性にかかわりなく、イメージのいくつかのゾーン、特にカバーされるかまたはカバーされないゾーンの動き推定器の不具合が、動き補償補間されたビデオシーケンスの表示中に、目に見えるほどのアーチファクト（artefact）を作り出す。これが、補間器が動き補償シーケンスを供給するだけではよくない理由である。入力ビデオシーケンスのいくつかの部分に関して、空間および／または一時的ドメイン内の入力ビデオシーケンスの線形フィルタリングによって取得される補間シーケンス、または、動き補償補間シーケンスとフィルタリングによって得られる補間シーケンスとの間の組合せ（または混合）、を出力することが好ましい場合がある。そのような手順を実装するデバイスを図２に示す。このデバイスは、補間するフレームの各ピクセルに対する動きベクトルを、その補間するフレームを取り囲むソースフレームから推定する動き推定器１０を備える。動き補償補間デバイス２０は、ソースフレームから、および、補間フレームの各ピクセルに対して推定される動きベクトルから、動き補償補間フレームを生成するように計画される。線形補間デバイス３０は、第２の補間フレームを取り囲むソースフレームの線形フィルタリングによって、第２の補間フレームを生成するように設計されている。混合器４０は、動き補償補間フレームと、ソースフレームの線形フィルタリングによって得られる補間フレームと、の混合である最終的な補間フレームを生成するために、補間デバイス２０および３０の出力に見られる。この混合は、２つの補間フレームの各々に、そしてより詳細には、前記補間フレームのピクセルの各々に、混合係数（または重み）を割り当てることによって、動作される。これらの混合係数は、例えば、検討中のピクセルの動きベクトルの振幅に従って混合器４０によって決定される。例えば、動きがより急速であるほど、線形フィルタリングによるイメージに適用（印加、apply to）される重み係数はより小さくなり、かつ、動き補償フレームに適用される重み係数はより大きくなり、これら２つの重み係数の合計は１に等しい。
【発明の開示】
【発明が解決しようとする課題】
【０００７】
このデバイスは、推定された動きベクトルが不具合のあるとき、および、これらのベクトルがきわめて異なったビデオ情報を有するピクセルを示しているときに、正しく動作しない。図３は、そのような場合を示す。移動背景上の薄い静的オブジェクトは、３ピクセルのＰ１＿ｐ、Ｐ２＿ｐ、Ｐ３＿ｐによって示される前ソースフレーム上と、３ピクセルのＰ１＿ｃ、Ｐ２＿ｃ、Ｐ３＿ｃによって示される現ソースフレーム上と、に表示されている。簡素化の目的で、イメージは一次元で示されている。前ソースフレームと現ソースフレームとの間の３ピクセルのＰ１＿ｉ、Ｐ２＿ｉ、Ｐ３＿ｉによって示される補間フレームを生成することが、求められる。この薄い静的オブジェクトは、前ソースフレームのピクセルＰ１＿ｐ上と、現ソースフレームのＰ１＿ｃ上とに表示される。動き推定器は、ピクセルＰ２＿ｉに関して不具合のある動きベクトルＶ１を供給した。図２のデバイスが使用された場合で、かつ、Ｖ１が、動き補償フレームがデバイス出力上で優先順位を与えられる閾値より大きい場合（動き補償フレームに対して大きな重み係数）には、ピクセルＰ２＿ｉ上の静的オブジェクトのビデオレベルがフィードバックされて、前記ビデオレベルはエコーを生成する。
【０００８】
しかしながら、欧州特許ＥＰ０３９０６６０に公表されている、混合を改善するために図３に示されるようなデバイスがある。すでに図２に見られるこのデバイスの要素は、図４の中で同じ参照で識別される。ソースフレームのシーケンスは、動き推定器１０と、動き補償補間デバイス２０と、線形補間デバイス３０とに、同時に印加される。動き補償補間デバイス２０は、動き推定器１０から受信される動きベクトルからのソースフレームを処理する。動きベクトルフィールドを供給する動き推定器１０の１つの出力は、その構成が欧州特許ＥＰ０３９０６６０に詳細に記載される動きベクトルフィールドのコヒーレンス解析回路５０に接続される。この回路は、例えばコヒーレンス二値行列を出力し、不具合のある動きベクトルがその中にマークされる。この二値行列は、動き補償補間デバイス２０からのビデオ情報と、線形補間デバイス３０から受信される情報と、をさらに受信する混合器４０に印加するために、混合係数の定義回路６０に印加される。補間デバイス２０および３０によってもたらされるビデオ情報混合係数は、行列の内容に従って決定される。補間するフレームの現ピクセルの動きベクトルに不具合があるとみなされる場合には、動き補償されたチャネルに割り当てられる混合係数ｉは小さくなり、そして、線形チャネルに割り当てられる係数１−ｉはより大きくなる。従って、混合器６０は、デバイス２０によって供給されるシーケンスと、デバイス３０によって供給されるシーケンスと、による混合である一連の補間フレームを供給する。
【課題を解決するための手段】
【０００９】
本発明は、動き推定器の不具合を克服することを可能にする、より実施しやすい別の解決策を提案した。より一般的には、本発明の目的は、動き推定器に対する臨界ゾーン（critical zone）、すなわち一時的連続性を有さないゾーンであり、特に１つのフレームからもう一方に現れるかまたは消えるゾーンにおいて、実施される、動き補償推定器によって作り出される不具合を減らすことである。
【００１０】
本発明は、補間フレームを、その補間フレームを一時的に取り囲むソースフレームから生成するためのデバイスに関し、このデバイスは、前記ソースフレームから補間する前記フレームの少なくとも一つの現ピクセルに対する動きベクトルの推定手段と、
第１の動き補償補間フレームを生成するための動き補償補間手段であって、前記第１の補間フレームの前記現ピクセルの特性は、前記現ピクセルに対して推定される前記動きベクトルによって決定される前記ソースフレームの前記ピクセルの特性から決定される、動き補償補間手段と、
前記ソースフレーム内の前記現ピクセルと同じ座標のピクセル間の線形フィルタリングによって第２の補間フレームを生成するための線形補間手段と、
補間する前記フレームのそれぞれの現ピクセルに関して、前記第１および第２のフレームが前記補間フレームを生成するように補間される同じ座標のピクセルの特性を混合するための混合手段であって、混合係数（α、１−α）が、各現ピクセルに対して前記第１および第２の補間フレームの各々に割り当てられる、混合手段
とを備える。
【００１１】
このデバイスは、さらに、前記補間フレームの各現ピクセルに関して、前記現ピクセルに対して前記推定された動きベクトルによって決定される前記ソースフレームの前記ピクセル間の第１のフレーム差値（ＤＦＤ）と、前記ソースフレーム内の前記現ピクセルと同じ座標のピクセル間の第２のフレーム差値（ＦＤ）との、算出手段を備える点で注目すべきものであり、そして、前記混合手段（４０'、４０"）は、前記補間フレームの各現ピクセルに関して、このピクセルに対して算出される前記第１のフレーム差値（ＤＦＤ）、および／または第２のフレーム差値（ＦＤ）、および／または推定された動きベクトルに従って前記混合係数（α、１−α）を決定する点で注目すべきものである。
【００１２】
ある特定の実施形態においては、前記第２の補間フレームに割り当てられる前記混合係数は、（前記第１のフレーム差値（ＤＦＤ））／（前記第１（ＤＦＤ）と、第２（ＦＤ）とのフレーム差値の合計）の比率に等しく、かつ、前記第１および第２の補間されたイメージに印加される前記混合係数の合計は、１に等しい。
【００１３】
実際には、ソースフレームがいくつかのカラー成分、例えばＲ、Ｇ、およびＢを備える場合には、デバイスは、そのカラー成分の各々に対する補間フレームを生成する。この場合には、混合係数は、このカラー成分と関連するソースフレームからのカラー成分の各々に対して算出される。そして、異なるカラー成分間の処理差異においてあるであろう、色彩効果の出現を防ぐために、これらの混合係数の最大値（αｍａｘ）は、混合に対して各カラー成分の第２の補間フレームに割り当てられる。
【００１４】
好ましくは、この最大値は、第１（ＤＦＤ）および第２（ＦＤ）のフレーム差値が小さいときに、第２の補間されたイメージに関して第１の補間フレームに優先順位を与えることを目的とする正則化関数ｇによって重み付けされる。
【発明を実施するための最良の形態】
【００１５】
本発明は、非限定的な具体例として提供され、添付の図面を参照しながら提供される以下の説明を読みとることで、よりよく理解される。
【００１６】
本発明においては、動き補償補間フレームおよび線形補間フレームに割り当てられる混合係数は、前記現ピクセルに対して推定された動きベクトルによって決定されるソースフレームに関連するピクセル間の変位フレーム差（すなわちＤＦＤ：Displaced Frame Difference）、および／または、ソースフレーム内の現ピクセルと同じ座標のピクセル間のフレーム差（すなわちＦＤ：Frame Difference）、および／または、前記現ピクセルに対して推定された動きベクトル、に従って、補間するフレームの各ピクセルに対して決定される。
【００１７】
本発明におけるデバイスの第１の実施態様を図５に例示する。図２または４の要素に対する同一の要素は、同じ参照番号を具備する。ソースフレームのシーケンスは、動き推定器１０と、動き補償補間デバイス２０と、線形補間デバイス３０とに、同時に印加される。動き推定器１０は、このフレームを取り囲む前ソースフレームおよび現ソースフレームから、補間するフレームの各一つの現ピクセルに対する動きベクトルを生成する。デバイス２０は、これらの現ソースフレームおよび前ソースフレームから、第１の動き補償補間フレームを生成する。この第１の補間フレームの現ピクセルの特性は、現ピクセルに対して推定された動きベクトルによって決定されたソースフレームのピクセルの特性から決定される。推定された動きベクトルが、ソースフレーム内の特定のピクセルを示さず、いくつかのピクセルの間に位置するフレームポイントを指す場合には、最も近い近傍の特性を使用することができるか、または、最も近いピクセルの平均もしくは双線形補間（bilinear interpolation）がなされる。デバイス３０は、ソースフレーム内の現ピクセルと同じ座標のピクセルの間で線形フィルタリングによって補間される第２のフレームを生成する。計算回路７０が、前記現ピクセルに対して推定された動きベクトルによって決定されるソースフレームのピクセル間の（ＤＦＤに対応する）フレーム差値を算出するために、補間フレームの各現ピクセルに関して設けられる。ＤＦＤ計算は、一般的に動き推定器において実施される。従って、この計算回路７０は、動き推定器１０の不可欠な部分であるといえる。混合器４０'は、補間するフレームの各現ピクセルに対して、補間フレームを生成する方法で第１の補間フレームおよび第２の補間フレーム内の同じ座標のピクセルの特性を混合するために、最終的に設けられる。この動作のために、混合係数は、各現ピクセルに対して、第１の補間フレームおよび第２の補間フレームの各々に割り当てられる。この図に示される実施態様においては、混合係数は、回路７０によって算出されるフレーム差値（ＤＦＤ）、および／またはこのピクセルに対して推定された動きベクトルに従って、補間フレームの各現ピクセルに対して決定される。
【００１８】
回路４０'において実行される混合は、例えば、補間フレームの所定のピクセルに対して、以下のとおりである。
Ｓ＝（１−α）＊Ｃ＋α＊Ｆ
ここで、
・Ｓは、混合の後の関連ピクセルの値であり、
・Ｃは、動き補償補間されたシーケンスの関連ピクセルの値であり、
・Ｆは、線形フィルタリングによって取得されるシーケンスの関連ピクセルの値であり、
・αは、線形フィルタリングによって取得されるシーケンスのピクセルに印加される混合係数であり、
・１−αは、動き補償されたシーケンスのピクセルに印加される混合係数である。
【００１９】
混合係数αを、以下の方法で定義することができる。
α＝ｋ＊（１＋Ｖ２）＊ＤＦＤ
ここで、ｋは係数αの分解能を修正し、かつ／または動き補償されたチャネルに関する線形チャネルに優先順位を与えることを可能にする乗算係数であり、
Ｖは、動きベクトルの振幅であり、
ＤＦＤは、関連ピクセルに対する変位フレーム差である。
【００２０】
それゆえに、本発明によれば、動きベクトルによって示されているピクセルのビデオ情報が近い、すなわち、それらのＤＦＤ差異が小さい場合には、推定された動きベクトルが正しいこと、および、動き補償補間フレームが混合器の出力において優先順位を与えられる（係数１−αが大きい）ことを意味する。逆に、ＤＦＤ差異が大きい場合には、推定された動きベクトルはあまり良くなく、フィルタリングによって取得される補間フレームが優先順位を与えられる（係数αが大きい）。
【００２１】
第２のデバイス実施態様を図６に提案する。図５の要素と同一の要素は、同じ参照番号を具備する。ソースフレームのシーケンスは、動き推定器１０と、動き補償補間デバイス２０と、線形補間デバイス３０とに、同時に印加される。動き推定器１０は、このフレームを取り囲む前ソースフレームおよび現ソースフレームから、補間するフレームの各一つの現ピクセルに対する動きベクトルを生成する。デバイス２０は、これらの現ソースフレームおよび前ソースフレームから、第１の動き補償補間フレームを生成する。この第１の補間フレームの現ピクセルの特性は、現ピクセルに対して推定された動きベクトルによって決定されたソースフレームのピクセルの特性から決定される。推定された動きベクトルが、ソースフレーム内の特定のピクセルを示さず、いくつかのピクセルの間に位置するフレームポイントを示す場合には、最も近い近傍の特性を使用することができるか、または、最も近いピクセルの平均もしくは双線形補間がなされる。デバイス３０は、ソースフレーム内の現ピクセルと同じ座標のピクセルの間で線形フィルタリングによって補間される第２のフレームを生成する。計算回路７０'が、前記現ピクセルに対して推定された動きベクトルによって決定されるソースフレームのピクセル間の（ＤＦＤに対応する）第１のフレーム差値と、ソースフレーム内の現ピクセルと同じ座標のピクセル間の（ＦＤに対応する）第２のフレーム差値とを算出するために、補間フレームの各現ピクセルに関して設けられる。ＤＦＤ計算は、一般的に動き推定器において実施される。従って、この計算回路７０は、動き推定器１０の不可欠な部分であるといえる。混合器４０"は、補間するフレームの各現ピクセルに対して、補間フレームを生成する方法で第１の補間フレームおよび第２の補間フレーム内の同じ座標のピクセルの特性を混合するために、最終的に設けられる。この動作に関して、混合係数が、各現ピクセルに対して、第１の補間フレームおよび第２の補間フレームの各々に割り当てられる。この図に示される実施態様において、混合係数が、回路７０によって算出されるフレーム差値ＤＦＤおよび／または第２の差値ＦＤに従って、補間フレームの各現ピクセルに対して、決定される。
【００２２】
回路４０"において実行される混合は、例えば、補間フレームの所定のピクセルに対して、以下のとおりである。すなわち、
Ｓ＝（１−α）＊Ｃ＋α＊Ｆ
ここで、
・Ｓは、混合の後の関連ピクセルの値であり、
・Ｃは、動き補償補間されたシーケンスの関連ピクセルの値であり、
・Ｆは、線形フィルタリングによって取得されるシーケンスの関連ピクセルの値であり、
・αは、線形フィルタリングによって取得されるシーケンスのピクセルに印加される混合係数であり、
・１−αは、動き補償されたシーケンスのピクセルに印加される混合係数である。
【００２３】
それにもかかわらず、混合係数αは、現ピクセルに対して算出されるＤＦＤおよびＦＤの値の関数であるので、混合係数αは、異なる方法で決定される。
【００２４】
【数１】
2009503969.tif 000003
【００２５】
さらに、各ソースフレームが、赤成分、緑成分、青成分Ｂによって、少なくとも２色成分を構成するとみなされる場合には、補間は成分の各々において動作されなければならない。ＤＦＤフレーム差およびＦＤフレーム差の計算は、ビデオ信号の各カラー成分で別々に実行される。混合係数αは、各成分に対して決定される。以下が可能である。  
−各カラー成分を別々に処理し、それゆえ、他の成分を考慮に入れることなくこれらの成分の各々に対して補間フレームを生成する。αｒｅｄ、αｇｒｅｅｎ、αｂｌｕｅと記される係数は、赤、緑、および青成分の各々に対して算出され、赤、緑、および青の補間フレームを生成するために使用されるか。  
−または、カラー成分を包括的に処理して、他の成分を考慮に入れることによってこれらの成分の各々に対する補間フレームを生成する。この第２の可能性は、色彩効果の出現を防ぐことができるので、たとえ３色成分に対して同じ係数αがあっても、この第２の可能性が最も有利なものである。この係数は、好ましくは係数αｒｅｄ、αｇｒｅｅｎ、αｂｌｕｅの最大値である。この共通係数は、αｍａｘ＝ｍａｘ（αｒｅｄ、αｇｒｅｅｎ、αｂｌｕｅ）によるαｍａｘと記される。線形チャネルは、従って、誤差が成分のうちの１つにある時、優先順位を与えられる（αがより大きくなるほど、最終結果における線形チャネルの割合がより大きくなる）。
【００２６】
係数αの計算は、直接ＤＦＤおよびＦＤの値に依存するので、正則化関数ｇは、ＤＦＤおよびＦＤの２値が小さいときに、補償されたチャネルに優先順位を与えるために、この計算に有利に導入される。正則化関数gは、０と１との間の増加関数である（「ソフト」閾値処理）。関数ｇは、例えば、
【００２７】
【数２】
2009503969.tif 000004
【００２８】
のタイプであり、ここで、ｘは前記第１および第２のフレーム差値の合計である。この関数の曲線を、図７に示す。
【００２９】
最終的な補間は、Ｓ＝（１−α）＊Ｃ＋α＊Ｆのように書かれ、
【００３０】
【数３】
2009503969.tif 000005
【００３１】
である。
【００３２】
この実施態様を実装するのに適したデバイスを図８に示す。すでに以前の図に存在する要素は、同じ数の番号によって識別される。ソースフレームのシーケンスのビデオ信号は、ビデオ処理回路８０によって、それぞれカラー成分Ｒ、Ｇ、およびＢを表す３つの信号に変換される。このビデオ信号は、また、動き推定器１０にも印加される。赤、緑、および青信号が、次いで、動き補償補間デバイス２０、線形補間デバイス３０、およびＤＦＤおよびＦＤの計算回路７０"を備える異なったブロックによって、別々に処理される。これらの手段は、図６に示すように接続される。各ブロックのデバイス２０は、動き推定器１０によって生成される動きベクトルを受信して、これらのベクトルからカラー信号を処理する。各ブロックのデバイス２０および３０、および、計算回路７０"の出力は、以前の段落に記載された補間を実行するのに適した混合器４０"に接続される。
【００３３】
これらの異なるデバイスの多くの利点がある。
−補償の一時的連続性を取得することが可能である、すなわち、ビデオレベルが動きの方向に常に近い。
−最終結果は、動きの方向の誤差のみならず、線形チャネルの誤差の両方を占める。
−推定器によって生成される不具合による誤差をかなり減らす。
−動きの異なるゾーンの接合部におけるカラーエコーを制限する。
−任意のタイプの変換に適用することができる。例えば、５０−＞６０Ｈｚ、５０−＞７５Ｈｚ、５０−＞１００Ｈｚ、またその逆でもある。
【００３４】
もちろん、本発明は前述した実施態様に限定されない。特に、当業者であれば他の混合係数および／または重み関数を使用することが可能である。
【図面の簡単な説明】
【００３５】
【図１】２つのソースフレームからの補間フレームの生成を示す図である。
【図２】従来技術における第１の補間デバイスを示す図である。
【図３】図２のデバイスの不具合を示す図である。
【図４】従来技術における第２の補間デバイスを示す図である。
【図５】本発明における第１の補間フレーム生成デバイスを示す図である。
【図６】本発明における第２の補間フレーム生成デバイスを示す図である。
【図７】動き補償フレームと関連する混合係数に印加する重み関数を示すグラフ曲線である。
【図８】ソースフレームのカラー成分の各々の処理を示すデバイスを示す図である。
【図１】
2009503969.tif 000007
【図２】
2009503969.tif 000008
【図３】
2009503969.tif 000009
【図４】
2009503969.tif 000010
【図５】
2009503969.tif 000011
【図６】
2009503969.tif 000012
【図７】
2009503969.tif 000013
【図８】
2009503969.tif 000014
【国際調査報告】
2009503969.tif 000015
2009503969.tif 000016
2009503969.tif 000017
2009503969.tif 000018
2009503969.tif 000019
2009503969.tif 000020
2009503969.tif 000021